(57)【要約】      （修正有）【課題】従来からのボール籠は収納箇所が一箇所であった為に、ボール収納時にボール種類が複数有る場合にはどうしても一つの収納箇所に混在となり、使用時にボールの仕分けを必要とした。またボール種類が複数有った場合でボールを仕分け収納したい場合、複数台のボール籠が必要であり非効率的であった。本考案は、各種球技に使用されるボールを収納する籠を提供する。【解決手段】ボール籠に仕切りフレーム６を正面フレーム１、正面フレーム２、目皿フレーム５に固定させる事により一つのボール籠に収納箇所を複数箇所設ける事ができ、一つのボール籠に複数種類のボールを混在する事無く仕分け収納可能となった。また仕切りフレーム６は可動出来る為、使用者の運用形態に合わせボール収納箇所の仕分け割合を容易に変更可能となり効率的運用が可能となる。【選択図】図２
0003128728.tif 000002
【実用新案登録請求の範囲】
【請求項１】
仕切りフレーム６を正面フレーム１、正面フレーム２、目皿フレーム５に固定させる事により、一つのボール籠に複数収納箇所を設ける事ができ、ボールを混在させずにボール種類毎に仕分け収納が可能な事を特徴とする仕切り付ボール籠。
【請求項２】
正面フレーム１、正面フレーム２、目皿フレーム５の仕切り箇所を複数設け、使用者が簡単に仕切りフレーム６の仕切り変更が可能で、場合によっては従来のボール籠と同様に収納箇所を一箇所にする事も可能であり、ボール収納箇所の仕分け割合を容易に変更可能な事が特徴となる仕切り付ボール籠。
【考案の詳細な説明】
【技術分野】
【０００１】  本考案は、バレーボール、バスケットボール、ドッジボール、サッカーボール等、各種球技に使用されるボールを収納する籠に関するものである。
【背景技術】
【０００２】  従来のボール籠は蓋付きのもの、形状に特徴のあるもの等、種類は多数有るがボール籠のボール収納箇所は一箇所しかなく、例えばバレーボールとバスケットボールを同じボール籠に収納した場合には収納箇所が一箇所しかない為に、バレーボールとバスケットボールは混在となり、使用する場合に仕分けを必要とし非常に手間の掛かる作業が必要であった。【０００３】  またバレーボールとバスケットボール等、複数種類のボールを別々に収納しようとした場合にはどうしてもボール籠が２個以上必要となり、ボール数が多く無い場合ではボール籠に未使用空間が出来てしまい、非常に非効率的である。
【考案の開示】
【考案が解決しようとする課題】
【０００４】  従来からのボール籠は収納箇所が一箇所であったために、ボール収納時にボール種類が複数有る場合にはどうしても一つの収納箇所に混在となり、使用時毎にボールの仕分けが必要となり非常に手間の掛かる作業となる。【０００５】  またボール種類が複数有った場合にボールを仕分けして収納したい場合にどうしても種類数量と同数量以上のボール籠が必要となり、非効率的である。
【課題を解決するための手段】
【０００６】  本考案は、上記課題を解決する為にボール籠内部に仕切りフレーム６を設け、正面フレーム１の上端、正面フレーム２の上端に穴１０を複数明け、仕切リフレーム６の上部フレーム下方に螺子部７を熔接等の何らかの方法にて下方向へ固定させ仕切りフレーム６に固定されている螺子部７を仕切リフレーム１、仕切りフレーム２の穴１０に挿入し、正面フレーム１、正面フレーム２を挟み込み螺子にて固定させ、加えて仕切りフレーム６下端下方には逆Ｕ字金具９を取り付け、目皿フレーム５に逆Ｕ字金具９が上方から覆う形態で、仕切りフレーム６を正面フレーム１、正面フレーム２、目皿フレーム５との固定を可能とした。【０００７】  且つ、正面フレーム１、正面フレーム２に目皿フレーム５丸棒材と同間隔に穴１０を複数明けておき、仕切りフレーム６は使用者が運用形態に合わせ自在に可動可能で、複数取り付ければ複数種類のボールを一つのボール籠に収納する事ができ、且つ収納割合を仕切り箇所の可動にて自在に変更できる特徴がある。【０００８】  また、正面フレーム１、正面フレーム２の上部フレームに貫通穴等を明け、仕切りフレーム６の上端にも貫通穴等を明け、その穴に貫通する螺子等を用意し、仕切りフレーム６と正面フレーム１、正面フレーム２を螺子等にて挟み込み固定させる方法も可能である。【０００９】  また、正面フレーム１側面、正面フレーム２側面を平鋼材若しくは角パイプ材等で製作しておくか若しくは丸棒材、丸パイプ材に螺子止め、熔接等の何らかの方法で固定させておき複数穴等を明けておき、仕切りフレーム６の側端にも同様に平鋼材若しくは角パイプ材等を用意し同間隔に穴等を明けておき、螺子等にて正面フレーム１、正面フレーム２と仕切りフレーム６とを挟み込み螺子等にて固定させる方法も可能である。【００１０】  また正面フレーム１上端、正面フレーム２上端に穴等を明け、仕切りフレーム６上方フレームの下端に、正面フレーム１、正面フレーム２に明けてある穴等より僅かに小径の円筒部品等を螺子止め、熔接等何らかの方法にて固定させておき、仕切りフレーム６の円筒部品等を正面フレーム１、正面フレーム２の穴等に挿入し、その際に前記した逆Ｕ字金具等により目皿フレーム５を覆う形態を実施し、仕切りフレーム６を固定させる事も可能である。【００１１】  また、目皿フレーム５を平鋼材若しくは角パイプ材等で製作するか若しくは、丸棒材、丸パイプ材等に螺子止め、熔接等の何らかの方法で上端上方若しくは下端下方に固定させている状態で、目皿フレーム５の平鋼材、角パイプ材に穴等を複数明けておき、仕切りフレーム６下端から下方に目皿フレーム５の穴等と同間隔で螺子等を熔接等の何らかの方法で固定させておき、目皿フレーム５の平鋼材、角パイプ材の穴等に貫通させ目皿フレーム５を挟み込み螺子等にて固定させる方法も可能である。【００１２】  また目皿フレーム５と仕切りフレーム６固定方法として、仕切りフレーム６の下端下方にリング型フック、シャックル、スナップ等のリング形状の固定部品を螺子止め、熔接など何らかの方法で固定させておき、目皿フレーム５にそれら固定部品を使用しての固定方法も可能である。【００１３】  また、仕切りフレーム６の丸棒材、丸パイプ材を正面��レーム１、正面フレーム２、目皿フレーム５に螺子等にて固定させた樹脂製等の丸形溝付き固定器具を使用し、仕切りフレーム６の丸棒材若しくは丸パイプ材を正面フレーム１、正面フレーム２、目皿フレーム５に固定する方法も可能である。【００１４】  また、仕切りフレーム６を正面フレーム１、正面フレーム２、目皿５等へ予め熔接等何らかのよる永久固定方法に依っても固定させる事は可能である。【００１５】  また、正面フレーム１、正面フレーム２、目皿フレーム５と仕切りフレーム６をマジックテープ、紐類、結束バンド等でも簡易的に固定させる事が可能である。
【考案の効果】
【００１６】  本考案は仕切りフレーム６により、ボール籠に複数収納箇所を設けボール種類毎に収納可能で、且つ収納する割合、収納箇所数を極めて容易に変更可能なボール籠である。【００１７】  また、収納するボールが一種類の場合でも仕切りフレーム６を側面フレーム３側若しくは側面フレーム４側へ組み換えるだけで、従来の一箇所収納ボール籠と同等の性能を発揮できるボール籠である。【００１８】  加えてボール収納時に複数種類のボールを仕分けして収納したい場合、ボール数の多少に関係なく、ボール種類数と同数か若しくは種類数以上のボール籠の台数が必要となり、非効率的な側面を持つことになるが、本考案ではボールが少数の場合には一つのボール籠で複数種類のボールを仕分けして収納する事を可能とし、効率的観点から非常に有意な収納特徴を有する。
【考案を実施するための最良の形態】
【００１９】本考案の実施形態を、図面を参照して説明する。【００２０】  図１は本考案の仕切りフレーム６の組立前を示し仕切りフレーム６が自在に可動する状態で、図２は仕切りフレーム６の組立後を示し、仕切りフレーム６が正面フレーム１と正面フレーム２及び目皿フレーム５へ固定されている状態を示す。図１から図２に示す様に螺子部７を正面フレーム１、正面フレーム２の穴１０に挿入し逆側からナット８で固定するがその際、図４の通りに仕切りフレーム６に固定されている逆Ｕ字フック９が目皿フレーム５へ引っ掛かり、仕切りフレーム６が固定される。【００２１】  図５に示す様に仕切りフレーム６を複数組み入れる事により、ボール収納箇所が複数箇所となり、複数種類のボールを一つのボール籠に仕分けして収納する事が可能となる。【００２２】  図６に示す様に仕切りフレーム６を側面フレーム３側へ近づけ組み立てる事により、従来からのボール籠と同様にボール収納箇所を一箇所にする事により、使用者の運用形態に合わせた運用方法も可能となる。【００２３】  図７に示す様に、別形状のボール籠でも本考案と同様に仕切りフレーム６を設けることにより、本考案の効果は同等に発揮出来る。
【図面の簡単な説明】
【図１】本考案の仕切り固定前を表す斜視図
【図２】本考案の仕切り固定後を表す斜視図
【図３】本考案の側面図
【図４】本考案のＡ−Ａを表す断面図
【図５】本考案に複数仕切り箇所を設けた場合の使用状態を表す斜視図
【図６】本考案の仕切り箇所を一箇所にした場合の使用状態を表す斜視図
【図７】本考案を別形状のボール籠で実施した場合の使用状態を表す斜視図
【符号の説明】
１    正面フレーム
２    正面フレーム
３    側面フレーム
４    側面フレーム
５    目皿フレーム
６    仕切りフレーム
７    螺子部
８    ナット
９    逆Ｕ字金具
１０  穴
１１  ボール
１２  ボール
１３  ボール
【図１】
0003128728.tif 000003
【図２】
0003128728.tif 000004
【図３】
0003128728.tif 000005
【図４】
0003128728.tif 000006
【図５】
0003128728.tif 000007
【図６】
0003128728.tif 000008
【図７】
0003128728.tif 000009